(57)【要約】【課題】試料の種類によって測定値に差が生じることを防ぐことができる、新たな測定方法、測定試薬、及び測定値差の改善方法を提供する。【解決手段】測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する方法において、当該特異的結合物質を固定化した担体と試料との接触の前又はこれと同時に、当該特異的結合物質を固定化していない担体と試料とを接触させることを特徴とする、試料中の測定対象物質の測定方法である。【選択図】なし【特許請求の範囲】
【請求項１】
測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する方法において、当該特異的結合物質を固定化した担体と試料との接触の前又はこれと同時に、当該特異的結合物質を固定化していない担体と試料とを接触させることを特徴とする、試料中の測定対象物質の測定方法。
【請求項２】
以下の第１段階：
測定対象物質に結合する特異的結合物質を固定化していない担体と、試料とを混合し、接触させる；
及び、以下の第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による請求項１記載の試料中の測定対象物質の測定方法。
【請求項３】
以下の第１段階：
水系溶媒と、試料とを混合し、接触させる；
及び、以下の第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による請求項１記載の試料中の測定対象物質の測定方法。
【請求項４】
測定対象物質に結合する特異的結合物質が、測定対象物質に結合する抗体である、請求項１〜請求項３のいずれか１項記載の試料中の測定対象物質の測定方法。
【請求項５】
担体がラテックス粒子である、請求項１〜請求項４のいずれか１項記載の試料中の測定対象物質の測定方法。
【請求項６】
測定対象物質がＳＣＣＡ１及び／又はＳＣＣＡ２である、請求項１〜請求項５のいずれか１項記載の試料中の測定対象物質の測定方法。
【請求項７】
測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする試料中の測定対象物質の測定に用いられる測定試薬であって、測定対象物質に結合する特異的結合物質を固定化した担体、及び当該特異的結合物質を固定化していない担体を含有する、試料中の測定対象物質の測定試薬。
【請求項８】
測定対象物質に結合する特異的結合物質を固定化していない担体を含有する第１試薬と、当該特異的結合物質を固定化した担体を含有する第２試薬とを含む、請求項７記載の試料中の測定対象物質の測定試薬。
【請求項９】
水系溶媒を含有する第１試薬と、測定対象物質に結合する特異的結合物質を固定化した担体、及び当該特異的結合物質を固定化していない担体を含有する第２試薬とを含む、請求項７記載の試料中の測定対象物質の測定試薬。
【請求項１０】
測定対象物質に結合する特異的結合物質が、測定対象物質に結合する抗体である、請求項７〜請求項９のいずれか１項記載の試料中の測定対象物質の測定試薬。
【請求項１１】
担体がラテックス粒子である、請求項７〜請求項１０のいずれか１項記載の試料中の測定対象物質の測定試薬。
【請求項１２】
測定対象物質がＳＣＣＡ１及び／又はＳＣＣＡ２である、請求項７〜請求項１１のいずれか１項記載の試料中の測定対象物質の測定試薬。
【請求項１３】
測定試薬キットである、請求項７〜請求項１２のいずれか１項記載の試料中の測定対象物質の測定試薬。
【請求項１４】
測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする、試料の種類による測定値差の改善方法。
【請求項１５】
以下の第１段階：
測定対象物質に結合する特異的結合物質を固定化していない担体と、試料とを混合し、接触させる；
及び、以下の第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による請求項１４記載の試料の種類による測定値差の改善方法。
【請求項１６】
以下の第１段階：
水系溶媒と、試料とを混合し、接触させる；
及び、以下の第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による請求項１４記載の試料の種類による測定値差の改善方法。
【請求項１７】
測定対象物質に結合する特異的結合物質が、測定対象物質に結合する抗体である、請求項１４〜請求項１６のいずれか１項記載の試料の種類による測定値差の改善方法。
【請求項１８】
担体がラテックス粒子である、請求項１４〜請求項１７のいずれか１項記載の試料の種類による測定値差の改善方法。
【請求項１９】
測定対象物質がＳＣＣＡ１及び／又はＳＣＣＡ２である、請求項１４〜請求項１８のいずれか１項記載の試料の種類による測定値差の改善方法。
【発明の詳細な説明】
【技術分野】
【０００１】
本発明は、測定対象物質に結合する特異的結合物質を固定化した担体と、試料中に含まれていた測定対象物質との特異的結合反応による測定対象物質の測定における、試料中の測定対象物質の測定方法、試料中の測定対象物質の測定試薬、及び試料の種類による測定値差の改善方法に関する。
本発明は、臨床検査、免疫学及び医学などの生命科学分野、分析化学などの化学分野、食品衛生分野、並びに環境衛生分野等において有用なものである。
【背景技術】
【０００２】
抗原と抗体、糖とレクチン、ヌクレオチド鎖とそれに相補的なヌクレオチド鎖、リガンドとレセプター等の特異的な親和性を有する物質間の反応を利用した試料中に含まれる微量の測定対象物質の測定方法及び測定試薬は種々のものが知られている。
【０００３】
これは、試料中に含まれる測定対象物質と、この測定対象物質に対して結合する特異的結合物質（測定対象物質に対する特異的結合物質）との結合の有無、又は結合の量を測ることにより、試料中に含まれる測定対象物質の有無の測定〔定性測定〕、又はその含有量（濃度）の測定〔定量測定〕を行うものである。
【０００４】
これらの測定対象物質に結合する特異的結合物質を用いる測定対象物質の測定方法及び測定試薬としては、特に、測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することによる、試料中の測定対象物質の測定方法、及びこの測定方法を測定原理とする試料中の測定対象物質の測定試薬が知られ、繁用されている。
【０００５】
これらの試料中の測定対象物質の測定方法及び測定試薬における担体としては、ラテックス粒子、有機高分子粒子、無機粒子、金属粒子、磁性粒子、又は赤血球等が知られているが、特にラテックス粒子が繁用されている。（例えば、特許文献１、及び非特許文献１参照。）。
【先行技術文献】
【特許文献】
【０００６】
【特許文献１】国際公開パンフレットＷＯ２０１０／０５８８６０
【非特許文献】
【０００７】
【非特許文献１】「臨床検査法提要」，改訂第３１版，第４０頁〜第４１頁，金原出版，１９９８年発行
【発明の概要】
【発明が解決しようとする課題】
【０００８】
本発明者らは、前記の、測定対象物質に結合する特異的結合物質を固定化した担体と、試料中に含まれていた測定対象物質との特異的結合反応による、試料中の測定対象物質の測定の際に、例えば、生体試料における測定値と標準液等の水系溶媒試料における測定値との間等のように、試料の種類により測定値に差が生じることに気付いた。
これは、例えば、生体試料における測定対象物質の濃度と、水系溶媒試料における測定対象物質の濃度とが例え同一であったとしても、この生体試料と水系溶媒試料とのように試料の種類が異なることにより、測定により得られる測定値に差が生じてしまうのである。
【０００９】
よって、本発明の課題は、試料の種類によって測定値に差が生じることを防ぐことができる、新たな測定方法、測定試薬、及び測定値差の改善方法を提供することである。
【課題を解決するための手段】
【００１０】
〔１〕本発明
本発明者らは、上記の課題の解決を目指して鋭意検討を行った結果、測定対象物質に結合する特異的結合物質を固定化した担体と、試料中に含まれていた測定対象物質との特異的結合反応による、試料中の測定対象物質の測定の際に、当該特異的結合物質を固定化した担体と試料との接触の前又はこれと同時に、測定対象物質に結合する特異的結合物質を固定化していない担体と試料とを接触させることにより、試料の種類による測定値差を改善できることを見出し、本発明を完成するに至った。
【００１１】
すなわち、本発明は、以下の発明を提供する。
（１）  測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する方法において、当該特異的結合物質を固定化した担体と試料との接触の前又はこれと同時に、当該特異的結合物質を固定化していない担体と試料とを接触させることを特徴とする、試料中の測定対象物質の測定方法。
（２）  以下の第１段階：
測定対象物質に結合する特異的結合物質を固定化していない担体と、試料とを混合し、接触させる；
及び、以下の第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による前記（１）記載の試料中の測定対象物質の測定方法。
（３）  以下の第１段階：
水系溶媒と、試料とを混合し、接触させる；
及び、以下の第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による前記（１）記載の試料中の測定対象物質の測定方法。
（４）  測定対象物質に結合する特異的結合物質が、測定対象物質に結合する抗体である、前記（１）〜（３）のいずれか１項記載の試料中の測定対象物質の測定方法。
（５）  担体がラテックス粒子である、前記（１）〜（４）のいずれか１項記載の試料中の測定対象物質の測定方法。
（６）  測定対象物質がＳＣＣＡ１及び／又はＳＣＣＡ２である、前記（１）〜（５）のいずれか１項記載の試料中の測定対象物質の測定方法。
（７）  測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする試料中の測定対象物質の測定に用いられる測定試薬であって、測定対象物質に結合する特異的結合物質を固定化した担体、及び当該特異的結合物質を固定化していない担体を含有する、試料中の測定対象物質の測定試薬。
（８）  測定対象物質に結合する特異的結合物質を固定化していない担体を含有する第１試薬と、当該特異的結合物質を固定化した担体を含有する第２試薬とを含む、前記（７）記載の試料中の測定対象物質の測定試薬。
（９）  水系溶媒を含有する第１試薬と、測定対象物質に結合する特異的結合物質を固定化した担体、及び当該特異的結合物質を固定化していない担体を含有する第２試薬とを含む、前記（７）記載の試料中の測定対象物質の測定試薬。
（１０）  測定対象物質に結合する特異的結合物質が、測定対象物質に結合する抗体である、前記（７）〜（９）のいずれか１項記載の試料中の測定対象物質の測定試薬。
（１１）  担体がラテックス粒子である、前記（７）〜（１０）のいずれか１項記載の試料中の測定対象物質の測定試薬。
（１２）  測定対象物質がＳＣＣＡ１及び／又はＳＣＣＡ２である、前記（７）〜（１１）のいずれか１項記載の試料中の測定対象物質の測定試薬。
（１３）  測定試薬キットである、前記（７）〜（１２）のいずれか１項記載の試料中の測定対象物質の測定試薬。
（１４）  測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする、試料の種類による測定値差の改善方法。
（１５）  以下の第１段階：
測定対象物質に結合する特異的結合物質を固定化していない担体と、試料とを混合し、接触させる；
及び、以下の第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による前記（１４）記載の試料の種類による測定値差の改善方法。
（１６）  以下の第１段階：
水系溶媒と、試料とを混合し、接触させる；
及び、以下の第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
による前記（１４）記載の試料の種類による測定値差の改善方法。
（１７）  測定対象物質に結合する特異的結合物質が、測定対象物質に結合する抗体である、前記（１４）〜（１６）のいずれか１項記載の試料の種類による測定値差の改善方法。
（１８）  担体がラテックス粒子である、前記（１４）〜（１７）のいずれか１項記載の試料の種類による測定値差の改善方法。
（１９）  測定対象物質がＳＣＣＡ１及び／又はＳＣＣＡ２である、前記（１４）〜（１８）のいずれか１項記載の試料の種類による測定値差の改善方法。
【００１２】
〔２〕測定対象物質に結合する特異的結合物質
本発明において、測定対象物質に結合する特異的結合物質は、測定対象物質に特異的に結合することができる物質であり、このように測定対象物質に特異的に結合することができる物質であれば特に限定はない。
【００１３】
この測定対象物質に結合する特異的結合物質としては、例えば、測定対象物質に結合することができる抗体（抗測定対象物質抗体）、アプタマー（核酸アプタマー若しくはペプチドアプタマー）、アフィボディー、糖若しくはレクチン、ヌクレオチド鎖、又はレセプター等を挙げることができる。
【００１４】
なお、測定対象物質に結合することができる抗体（抗測定対象物質抗体）としては、例えば、測定対象物質に結合することができるモノクローナル抗体、ポリクローナル抗体、抗血清、抗体の断片〔Ｆａｂ及びＦ(ａｂ’)２など〕、又は一本鎖抗体（ｓｃＦｖ）等を挙げることができる。
【００１５】
また、この測定対象物質に結合することができる抗体は、遺伝子組み換え技術等により免疫原（測定対象物質）を免疫する動物とは異なる動物種のアミノ酸配列に変化させた抗体（キメラ抗体、ヒト化抗体、又は完全ヒト化抗体等）であっても良い。
【００１６】
そして、測定対象物質に結合する特異的結合物質としては、測定対象物質に結合することができる抗体（抗測定対象物質抗体）が好ましく、当該抗体がモノクローナル抗体であることがより好ましい。
【００１７】
なお、本発明においては、２種以上の、測定対象物質に結合する特異的結合物質を用いても良い。
【００１８】
そして、測定対象物質に結合する特異的結合物質は、公知の方法等により、適宜調製することができる。
【００１９】
〔３〕測定対象物質に結合する特異的結合物質を固定化した担体
【００２０】
本発明における、測定対象物質に結合する特異的結合物質を固定化した担体は、前記の「測定対象物質に結合する特異的結合物質」を、担体に固定化したものである。
【００２１】
この担体の材質は、特に限定はなく、例えば、ポリスチレン、スチレン−スチレンスルホン酸塩共重合体、アクリロニトリル−ブタジエン−スチレン共重合体、塩化ビニル−アクリル酸エステル共重合体、酢酸ビニル−アクリル酸共重合体、ポリアクロレイン、スチレン−メタクリル酸共重合体、スチレン−グリシジル（メタ）アクリル酸共重合体、スチレン−ブタジエン共重合体、メタクリル酸重合体、アクリル酸重合体、ゼラチン、シリカ、アルミナ、カーボンブラック、金属化合物、金属、セラミックス又は磁性体等を挙げることができる。
【００２２】
そして、この担体としては、粒子であることが好ましく、ラテックス粒子であることが特に好ましい。
【００２３】
なお、測定対象物質に結合する特異的結合物質を担体に固定化することは、物理的吸着法、化学的結合法又はこれらの併用等の公知の方法により行なうことができる。
【００２４】
物理的吸着法による場合は、公知の方法に従い、測定対象物質に結合する特異的結合物質と、担体とを、緩衝液等の溶液中で混合し接触させたり、又は緩衝液等に溶解した測定対象物質に結合する特異的結合物質を、担体に接触させること等により行うことができる。
【００２５】
また、化学的結合法により行う場合は、日本臨床病理学会編「臨床病理臨時増刊特集第５３号  臨床検査のためのイムノアッセイ−技術と応用−」，臨床病理刊行会，１９８３年発行；日本生化学会編「新生化学実験講座１  タンパク質IV」，東京化学同人，１９９１年発行等に記載の公知の方法に従い、測定対象物質に結合する特異的結合物質と、担体とを、グルタルアルデヒド、カルボジイミド、イミドエステル又はマレイミド等の二価性の架橋試薬と混合、接触させ、測定対象物質に結合する特異的結合物質と、担体の、それぞれのアミノ基、カルボキシル基、チオール基、アルデヒド基又は水酸基等と前記の二価性の架橋試薬とを反応させること等により行うことができる。
【００２６】
なお、「測定対象物質に結合する特異的結合物質を固定化した担体」の自然凝集や、非特異的反応等を抑制するために処理を行う必要があれば、「測定対象物質に結合する特異的結合物質を固定化した担体」の表面に、ウシ血清アルブミン（ＢＳＡ）、カゼイン、ゼラチン、卵白アルブミン若しくはその塩などのタンパク質、界面活性剤又は脱脂粉乳等を接触させ被覆させること等の公知の方法により処理して、担体のブロッキング処理（マスキング処理）を行ってもよい。
【００２７】
なお、本発明における試料中の測定対象物質の測定を、ラテックス比濁法等の比濁法により測定を行う場合、このラテックス粒子等の担体の大きさ（粒径）については、特に制限はない。
しかし、測定対象物質に結合する特異的結合物質を固定化した担体が、試料中に含まれていた測定対象物質との複合体凝集物（凝集塊）を生成する程度、及びこの生成した複合体凝集物（凝集塊）の測定の容易さ等の理由より、この担体の大きさ（粒径）は、その平均径（平均粒径）が、０．０２μｍ〜２μｍであることが好ましく、０．０４μｍ〜０．５μｍであることがより好ましい。
【００２８】
なお、本発明における試料中の測定対象物質の測定を、ラテックス比濁法等の比濁法により測定を行う場合、「測定対象物質に結合する特異的結合物質を固定化した担体」の測定反応時における濃度は、前記の特異的結合物質の担体表面上での分布密度、担体の大きさ（粒径）、試料と測定試薬の混合比率等の各種条件により最適な濃度は異なるので一概に言うことはできない。
【００２９】
しかし、通常は、試料と測定試薬が混合され、担体に固定化された「測定対象物質に結合する特異的結合物質」と、試料に含まれていた測定対象物質とが接触し、これらによる特異的結合反応が行われる測定反応時に、「測定対象物質に結合する特異的結合物質を固定化した担体」の濃度が、この測定反応時の反応混合液中において０．００５〜１％（ｗ／ｖ）となるようにするのが一般的であり、この場合、反応混合液中においてこのような濃度になるような濃度の「測定対象物質に結合する特異的結合物質を固定化した担体」を測定試薬に含有させることが好ましい。
【００３０】
本発明の試料中の測定対象物質の測定方法、測定試薬、及び試料の種類による測定値差の改善方法においては、「測定対象物質に結合する特異的結合物質を固定化した担体」を、ウシ血清アルブミン（ＢＳＡ）、ヒト血清アルブミン（ＨＳＡ）、カゼイン若しくはその塩などのタンパク質；カルシウムイオンなどの各種金属イオン；カルシウム塩などの各種塩類；各種糖類；脱脂粉乳；正常ウサギ血清などの各種動物血清；アジ化ナトリウム若しくは抗生物質などの各種防腐剤；活性化物質；反応促進物質；ポリエチレングリコールなどの感度増加物質；非特異的反応抑制物質；又は、非イオン性界面活性剤、両性界面活性剤もしくは陰イオン性界面活性剤などの各種界面活性剤等の１種又は２種以上と共存させてもよい。
【００３１】
なお、上記の各物質を共存させる際の濃度は特に限定されるものではないが、０．００１〜１０％（Ｗ／Ｖ）が好ましく、特に０．０１〜５％（Ｗ／Ｖ）が好ましい。
【００３２】
〔４〕測定対象物質に結合する特異的結合物質を固定化していない担体
【００３３】
本発明における、「測定対象物質に結合する特異的結合物質を固定化していない担体」は、前記の「測定対象物質に結合する特異的結合物質」を固定化していない担体である。
【００３４】
この「測定対象物質に結合する特異的結合物質を固定化していない担体」における担体（以下、この「担体」を「非固定化用担体」ということがある）の材質は、特に限定はなく、例えば、ポリスチレン、スチレン−スチレンスルホン酸塩共重合体、アクリロニトリル−ブタジエン−スチレン共重合体、塩化ビニル−アクリル酸エステル共重合体、酢酸ビニル−アクリル酸共重合体、ポリアクロレイン、スチレン−メタクリル酸共重合体、スチレン−グリシジル（メタ）アクリル酸共重合体、スチレン−ブタジエン共重合体、メタクリル酸重合体、アクリル酸重合体、ゼラチン、シリカ、アルミナ、カーボンブラック、金属化合物、金属、セラミックス又は磁性体等を挙げることができる。
【００３５】
この非固定化用担体は、粒子であることが好ましく、ラテックス粒子であることが特に好ましい。
【００３６】
なお、「測定対象物質に結合する特異的結合物質を固定化した担体」における「担体」と、「測定対象物質に結合する特異的結合物質を固定化していない担体」における「担体」（非固定化用担体）は、同一の材質のものが好ましい。
【００３７】
また、「測定対象物質に結合する特異的結合物質を固定化していない担体」の自然凝集や、非特異的反応等を抑制するために処理を行う必要があれば、「測定対象物質に結合する特異的結合物質を固定化していない担体」の表面に、ウシ血清アルブミン（ＢＳＡ）、カゼイン、ゼラチン、卵白アルブミン若しくはその塩などのタンパク質、界面活性剤又は脱脂粉乳等を接触させ被覆させること等の公知の方法により処理して、非固定化用担体のブロッキング処理（マスキング処理）等を行ってもよい。
【００３８】
なお、この非固定化用担体の大きさ（粒径）については、特に制限はない。
しかし、試料の種類による測定値差を改善する効果の大きさ、並びに測定対象物質に結合する特異的結合物質を固定化した担体と測定対象物質との複合体凝集物（凝集塊）の生成及びこの測定に影響を及ぼさないこと等の理由より、非固定化用担体の大きさ（粒径）は、その平均径（平均粒径）が、０．０１μｍ〜１μｍであることが好ましく、０．０２μｍ〜０．４μｍであることがより好ましい。
【００３９】
また、本発明の試料中の測定対象物質の測定方法、測定試薬、及び試料の種類による測定値差の改善方法において、非固定化用担体は、その大きさ（粒径）、材質、又は形状等が異なる２種類以上の担体を使用してもよい。
【００４０】
なお、本発明における「測定対象物質に結合する特異的結合物質を固定化していない担体」と試料とを接触させる際の濃度は、非固定化用担体の大きさ（粒径）、測定対象物質に結合する特異的結合物質を固定化した担体の大きさ（粒径）及び濃度、非固定化用担体の材質、並びに試料と測定試薬の混合比率等の各種条件により最適な濃度は異なるので一概に言うことはできない。
【００４１】
しかし、通常は、「測定対象物質に結合する特異的結合物質を固定化していない担体」と試料とを接触させる際に、「測定対象物質に結合する特異的結合物質を固定化していない担体」の濃度が、この混合液中において０．００５〜０．１％（ｗ／ｖ）となるようにするのが好ましい。この場合、この混合液中においてこのような濃度になるような濃度の「測定対象物質に結合する特異的結合物質を固定化していない担体」を測定試薬に含有させることが好ましい。
【００４２】
本発明の試料中の測定対象物質の測定方法、測定試薬、及び試料の種類による測定値差の改善方法においては、「測定対象物質に結合する特異的結合物質を固定化していない担体」を、ウシ血清アルブミン（ＢＳＡ）、ヒト血清アルブミン（ＨＳＡ）、カゼイン若しくはその塩などのタンパク質；カルシウムイオンなどの各種金属イオン；カルシウム塩などの各種塩類；各種糖類；脱脂粉乳；正常ウサギ血清などの各種動物血清；アジ化ナトリウム若しくは抗生物質などの各種防腐剤；活性化物質；反応促進物質；ポリエチレングリコールなどの感度増加物質；非特異的反応抑制物質；又は、非イオン性界面活性剤、両性界面活性剤もしくは陰イオン性界面活性剤などの各種界面活性剤等の１種又は２種以上と共存させてもよい。
【００４３】
なお、上記の各物質を共存させる際の濃度は特に限定されるものではないが、０．００１〜１０％（Ｗ／Ｖ）が好ましく、特に０．０１〜５％（Ｗ／Ｖ）が好ましい。
【００４４】
〔５〕試料
本発明において、試料とは、測定対象物質が存在する可能性があり、かつ測定対象物質の存在の有無、又は含有量（濃度）の測定を行おうとするものをいう。
【００４５】
本発明における試料は、このようなものであれば特に限定されないが、例えば、ヒトあるいは動物の、血液、血清、血漿、尿、大便、精液、髄液、唾液、汗、涙、腹水、咽頭拭い液、羊水、若しくはその他の体液等を挙げることができる。
【００４６】
また、試料が血液（全血）である場合、この全血試料を、水又は界面活性剤を含有する水系溶媒等の低張液と混合し、赤血球を破裂させる処理を行うことが、その後の測定を支障なく行う上で、好ましい。
【００４７】
なお、本発明において、水系溶媒としては、特に限定はないが、例えば、水、生理食塩水、又はトリス（ヒドロキシメチル）アミノメタン緩衝液、リン酸緩衝液若しくはリン酸緩衝生理食塩水などの各種緩衝液等を挙げることができる。
なお、この水系溶媒のｐＨは、ｐＨ５〜ｐＨ１０の範囲にあることが好ましい。
【００４８】
〔６〕測定対象物質
本発明において、測定対象物質とは、試料中におけるその存在の有無、又は含有量（濃度）を測定しようとする物質である。
【００４９】
この測定対象物質としては、測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定することができるものであれば如何なるものでもよい。
【００５０】
この測定対象物質を例示すると、例えば、タンパク質、糖質、脂質、核酸などのような有機物質等を挙げることができる。
【００５１】
より具体的には、例えば、ＨＢｓ抗原、抗ＨＢｓ抗体、ＨＢｅ抗原、抗ＨＢｅ抗体、抗ＨＢｃ抗体、ＨＣＶ抗原、抗ＨＣＶ抗体、ＨＩＶ抗原、抗ＨＩＶ抗体、抗ＡＴＬＶ抗体等のウイルス関連の抗原又は抗体；
大腸菌Ｏ１５７抗原、抗トレポネーマ・パリダム抗体、抗マイコプラズマ抗体、抗ストレプトリジンＯ抗体（ＡＳＯ）、赤痢菌、コレラ菌、腸炎ビブリオ、黄色ブドウ球菌、キャンピロバクター、ヘリコバクターピロリ、ＭＲＳＡ、若しくはレジオネラ菌等の細菌関連の抗原又は抗体；免疫グロブリンＧ（ＩｇＧ）、免疫グロブリンＡ（ＩｇＡ）、免疫グロブリンＭ（ＩｇＭ）、若しくは免疫グロブリンＥ（ＩｇＥ）等の免疫グロブリン；Ｃ反応性タンパク質（ＣＲＰ）、α１−酸性糖タンパク質、ハプトグロビン、補体Ｃ３
、補体Ｃ４ 、リウマトイド因子等の炎症マーカー；α−フェトプロテイン、ＣＥＡ、ＣＡ１９−９等の腫瘍マーカー；ヒト胎盤絨毛性ゴナドトロピン等のホルモン；アレルゲン、アレルゲン特異ＩｇＥ抗体等のアレルギー関連の抗原又は抗体；アンチトロンビンＩＩＩ（ＡＴＩＩＩ）等の血液凝固系関連物質；フィブリン体分解物（ＦＤＰ）、Ｄダイマー等の線溶系関連物質；リポタンパク質（ａ）、フェリチン等の他の疾病に関連した物質等を例示することができる。
【００５２】
本発明において、測定対象物質としては、ＳＣＣＡ（Ｓｑｕａｍｏｕｓ  Ｃｅｌｌ  Ｃａｒｃｉｎｏｍａ  Ａｎｔｉｇｅｎ；扁平上皮細胞癌抗原）のアイソフォームであるＳＣＣＡ１、ＳＣＣＡ２が好ましい。
【００５３】
〔７〕測定方法
本発明の試料中の測定対象物質の測定方法は、測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する方法において、当該特異的結合物質を固定化した担体と試料との接触の前又はこれと同時に、当該特異的結合物質を固定化していない担体と試料とを接触させることを特徴とする、試料中の測定対象物質の測定方法である。
【００５４】
これにより、試料の種類により測定値に差が生じることを改善することができるのである。
【００５５】
本発明の試料中の測定対象物質の測定方法における測定操作は、公知の測定操作に準じて行うことができる。
【００５６】
例えば、まず、「測定対象物質に結合する特異的結合物質を固定化した担体」を含有する測定試薬、「測定対象物質に結合する特異的結合物質を固定化していない担体」を含有する測定試薬、「測定対象物質に結合する特異的結合物質を固定化した担体」及び「測定対象物質に結合する特異的結合物質を固定化していない担体」を含有する測定試薬、又は「水系溶媒」を含有する測定試薬等を調製し、準備する。
【００５７】
次に、例えば、「測定対象物質に結合する特異的結合物質を固定化していない担体」を含有する測定試薬と、試料とを混合し、これにより、「測定対象物質に結合する特異的結合物質を固定化していない担体」と試料とを接触させる。
【００５８】
次に、先の「測定対象物質に結合する特異的結合物質を固定化していない担体」を含有する測定試薬と、試料との混合物に、「測定対象物質に結合する特異的結合物質を固定化した担体」を含有する測定試薬を混合することにより「測定対象物質に結合する特異的結合物質を固定化した担体」を試料と接触させる。
これにより、「測定対象物質に結合する特異的結合物質を固定化した担体」の「特異的結合物質」と、試料中に含まれていた「測定対象物質」との、特異的結合反応を行わせる。
そして、これより生成した、「測定対象物質に結合する特異的結合物質を固定化した担体」と「測定対象物質」との複合体凝集物を測定する。
【００５９】
この生成した複合体凝集物の測定は、この複合体凝集物が存在する測定反応時の反応混合液の透過光又は散乱光などの吸光度等の測定を、エンドポイント法又はレート法等により行うことにより、実施する。
【００６０】
そして、試料を測定して得た吸光度等の測定値を、標準物質（測定対象物質の濃度が既知の試料）を測定して得た吸光度等の測定値と比較して、試料中に含まれていた測定対象物質の濃度（定量値）を算出する。
【００６１】
なお、透過光又は散乱光などの吸光度等の測定は、透過光を測定しても、又は散乱光を測定してもよく、そして、１波長測定であっても、又は２波長測定（２つの波長による差又は比）であってもよい。
なお、測定波長は、５００ｎｍから８００ｎｍの中から選ばれるのが一般的である。
【００６２】
なお、本発明の試料中の測定対象物質の測定は、用手法により行ってもよいし、又は測定装置等の装置を用いて行ってもよい。
測定装置は、汎用自動分析装置であっても、専用の測定装置（専用機）であってもよい。
【００６３】
また、この測定は、１ステップ法（１試薬法）により行ってもよいし、又は２ステップ法（２試薬法）等の複数の操作ステップにより行う方法によって実施してもよい。
【００６４】
本発明の試料中の測定対象物質の測定において、測定に用いる容器は、特に限定はなく、適した物を用いることができる。
【００６５】
なお、より具体的には、本発明における試料中の測定対象物質の測定は、「測定対象物質に結合する特異的結合物質を固定化した担体」と測定対象物質との複合体凝集物の生成を、その透過光や散乱光を光学的方法により測るか、又は目視的に測ることにより、試料中に含まれていた測定対象物質の量（濃度）又は存在の有無の測定を、ラテックス比濁法、ラテックス凝集反応法、又は粒子凝集反応法等により実施することができる。特に、ラテックス比濁法によって実施することが、より好ましい。
【００６６】
そして、本発明における試料中の測定対象物質の測定を、ラテックス比濁法、ラテックス凝集反応法又は粒子凝集反応法等により実施する場合には、溶媒として、リン酸緩衝液、グリシン緩衝液、トリス緩衝液又はグッド緩衝液等を用いることができ、更にポリエチレングリコールなどの反応促進剤や非特異的反応抑制剤等を含ませてもよい。
【００６７】
なお、前記のラテックス比濁法、ラテックス凝集反応法又は粒子凝集反応法等における測定の操作法は、公知の方法等により行うことができるが、例えば、光学的方法により測定する場合には、試料と、担体に固定化した「測定対象物質に結合する特異的結合物質」とを反応させ、エンドポイント法又はレート法により、透過光や散乱光を測定すること等により行うことができる。
【００６８】
また、目視的に測定する場合には、プレートやマイクロタイタープレート（マイクロプレート）等の容器中で、試料と、担体に固定化した「測定対象物質に結合する特異的結合物質」とを反応させ、凝集の状態を目視的に判定すること等により行うことができる。
【００６９】
なお、この目視的に測定する代わりにマイクロプレートリーダー等の機器を用いて測定を行ってもよい。
【００７０】
以下、ラテックス比濁法を測定原理とする、試料中の測定対象物質の測定を行う方法を例にとって、具体的に説明を行う。
【００７１】
（１）  まず、試料中の測定対象物質の測定試薬として、以下のものを調製し、準備する。
第１試薬：
「測定対象物質に結合する抗体を固定化していないラテックス粒子」を含有する緩衝液
第２試薬：
「測定対象物質に結合する抗体を固定化したラテックス粒子」を含有する緩衝液
【００７２】
（２）  血清等の試料の一定量と前記の第１試薬の一定量を混合し、「測定対象物質に結合する抗体を固定化していないラテックス粒子」と試料とを接触させる。
なお、試料と第１試薬の混合比率（量比）は、適宜選択すればよい。
また、前記の静置時の温度は、室温（１℃〜３０℃）又は微温（３０℃〜４０℃）の範囲内の一定温度であることが好ましい。（例えば、３７℃等）
【００７３】
（３）  一定時間後、前記の試料と第１試薬との混合液に、前記の第２試薬の一定量を添加、混合し、反応混合液として、一定温度下で一定時間静置する。
これにより、「測定対象物質に結合する抗体を固定化したラテックス粒子」と試料とを接触させる。
なお、第２試薬の添加量は、適宜選択すればよい。
また、前記の静置時の温度は、室温（１℃〜３０℃）又は微温（３０℃〜４０℃）の範囲内の一定温度であることが好ましい。（例えば、３７℃等）
そして、前記の静置の時間は、１分以上、かつ１５分以下の一定時間であることが好ましい。
【００７４】
試料と第１試薬との混合液への第２試薬の添加、混合により、ラテックス粒子に固定化した測定対象物質に結合する抗体と、試料中に含まれていた測定対象物質との抗原抗体反応（特異的結合反応）を行わせる。
【００７５】
そして、この抗原抗体反応（測定反応）により、測定対象物質を介した「測定対象物質に結合する抗体を固定化したラテックス粒子」同士の複合体凝集物が生成する。
【００７６】
（４）  そして、分析装置又は分光光度計等において、反応混合液に光を照射して、生成したラテックス粒子同士の複合体凝集物により生じるシグナルである適当な波長の透過光強度の減少（吸光度の増加）又は散乱光強度の増加を測定することにより、生成した前記複合体凝集物の量、すなわち、試料中に含まれていた測定対象物質の量を求める。
【００７７】
（５）  そして、「試料の測定を行って得た測定値〔透過光強度の減少（吸光度の増加）又は散乱光強度の増加の値〕」と、「標準液又は標準血清等の標準物質〔濃度既知の測定対象物質を含む試料〕の測定を行って得た測定値〔透過光強度の減少（吸光度の増加）又は散乱光強度の増加の値〕」とを比較することにより、測定を行った試料中に含まれる測定対象物質の量（濃度）の算出を行う。
【００７８】
なお、本発明の試料中の測定対象物質の測定方法は、以下の第１段階及び第２段階による試料中の測定対象物質の測定方法であってもよい。
第１段階：
測定対象物質に結合する特異的結合物質を固定化していない担体と、試料とを混合し、接触させる；
第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
【００７９】
また、本発明の試料中の測定対象物質の測定方法は、以下の第１段階及び第２段階による試料中の測定対象物質の測定方法であってもよい。
第１段階：
水系溶媒と、試料とを混合し、接触させる；
第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
【００８０】
なお、本発明の試料中の測定対象物質の測定方法においては、測定対象物質に結合する特異的結合物質が、測定対象物質に結合する抗体であることが好ましい。
【００８１】
また、本発明の試料中の測定対象物質の測定方法においては、担体がラテックス粒子であることが好ましい。
【００８２】
そして、本発明の試料中の測定対象物質の測定方法においては、測定対象物質がＳＣＣＡ１及び／又はＳＣＣＡ２であることが好ましい。
【００８３】
〔８〕測定試薬
本発明の試料中の測定対象物質の測定試薬は、測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする試料中の測定対象物質の測定に用いられる測定試薬であって、測定対象物質に結合する特異的結合物質を固定化した担体、及び当該特異的結合物質を固定化していない担体を含有するものである。
【００８４】
すなわち、本発明の試料中の測定対象物質の測定試薬は、次の（１）及び（２）を満たすものである。
（１）  「測定対象物質に結合する特異的結合物質を固定化した担体」、及び「当該特異的結合物質を固定化していない担体」を含有する測定試薬である。
（２）  測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする試料中の測定対象物質の測定に用いられる測定試薬である。
【００８５】
これにより、試料の種類により測定値に差が生じることを改善することができるのである。
【００８６】
本発明の測定試薬は、一つの測定試薬よりなるものであってよい。
この場合、測定対象物質に結合する特異的結合物質を固定化した担体、及び測定対象物質に結合する特異的結合物質を固定化していない担体は、その一つの測定試薬に含有される。
【００８７】
また、本発明の測定試薬は、二つ以上の測定試薬より構成されるものであってよい。
この場合、測定対象物質に結合する特異的結合物質を固定化した担体、及び測定対象物質に結合する特異的結合物質を固定化していない担体は、二つ以上の測定試薬の内の一つの測定試薬に含有されるものであってもよく、また、二つ以上の測定試薬に含有されるものであってもよい。
【００８８】
例えば、本発明の測定試薬が、第１試薬及び第２試薬の二つの測定試薬より構成されるものである場合、測定対象物質に結合する特異的結合物質を固定化した担体、及び測定対象物質に結合する特異的結合物質を固定化していない担体は、第１試薬にのみ含有させてもよく、また、第２試薬にのみ含有させてもよく、更には、第１試薬と第２試薬の両方に含有させてもよい。
【００８９】
なお、本発明の測定試薬が二つの測定試薬より構成される場合、測定対象物質に結合する特異的結合物質を固定化した担体は、第２試薬に含有させることが好ましい。
【００９０】
また、本発明の測定試薬が二つの測定試薬より構成される場合、測定対象物質に結合する特異的結合物質を固定化していない担体は、第１試薬に含有させることが好ましい。
【００９１】
そして、本発明の測定試薬が二つ以上の測定試薬より構成されるものである場合、「測定対象物質に結合する特異的結合物質を固定化した担体」及び「測定対象物質に結合する特異的結合物質を固定化していない担体」を含有する試薬以外の試薬、すなわち、「測定対象物質に結合する特異的結合物質を固定化した担体」及び「測定対象物質に結合する特異的結合物質を固定化していない担体」を含有しない試薬は、例えば水系溶媒を含有する試薬等であってよい。
【００９２】
なお、本発明の測定試薬の溶媒としては、各種の水系溶媒を用いることができる。
【００９３】
この水系溶媒としては、例えば、水、若しくは生理食塩水等を挙げることができ、又は、トリス（ヒドロキシメチル）アミノメタン緩衝液、リン酸緩衝液、若しくはリン酸緩衝生理食塩水などの各種緩衝液等を挙げることができる。
【００９４】
この緩衝液のｐＨについては、適宜適当なｐＨを選択して用いればよく、特に制限はないものの、通常は、ｐＨ６〜ｐＨ１０の範囲内のｐＨを選択して用いることが一般的である。
【００９５】
また、本発明の試料中の測定対象物質の測定試薬には、前記の「測定対象物質に結合する特異的結合物質を固定化した担体」及び「測定対象物質に結合する特異的結合物質を固定化していない担体」の他に、ウシ血清アルブミン（ＢＳＡ）、ヒト血清アルブミン（ＨＳＡ）、カゼイン若しくはその塩などのタンパク質；カルシウムイオンなどの各種金属イオン；カルシウム塩などの各種塩類；各種糖類；脱脂粉乳；正常ウサギ血清などの各種動物血清；アジ化ナトリウム若しくは抗生物質などの各種防腐剤；活性化物質；反応促進物質；ポリエチレングリコールなどの感度増加物質；非特異的反応抑制物質；又は、非イオン性界面活性剤、両イオン性界面活性剤若しくは陰イオン性界面活性剤などの各種界面活性剤等の１種又は２種以上を適宜含有させてもよい。
【００９６】
なお、これらを本発明の測定試薬に含有させる際の濃度は特に限定されるものではないが、０．００１〜１０％（Ｗ／Ｖ）が好ましく、特に０．０１〜５％（Ｗ／Ｖ）が好ましい。
【００９７】
そして、前記の界面活性剤としては、例えば、ソルビタン脂肪酸エステル、グリセリン脂肪酸エステル、デカグリセリン脂肪酸エステル、ポリオキシエチレンソルビタン脂肪酸エステル、ポリオキシエチレングリセリン脂肪酸エステル、ポリエチレングリコール脂肪酸エステル、ポリオキシエチレンアルキルエーテル、ポリオキシエチレンフィトステロール、フィトスタノール、ポリオキシエチレンポリオキシプロピレンアルキルエーテル、ポリオキシエチレンアルキルフェニルエーテル、ポリオキシエチレンヒマシ油、硬化ヒマシ油若しくはポリオキシエチレンラノリンなどの非イオン性界面活性剤；酢酸ベタインなどの両性界面活性剤；又は、ポリオキシエチレンアルキルエーテル硫酸塩若しくはポリオキシエチレンアルキルエーテル酢酸塩などの陰イオン性界面活性剤等を挙げることができる。
【００９８】
なお、本発明の試料中の測定対象物質の測定試薬は、そのもの単独にて、販売し、又は試料中の測定対象物質の測定に使用することができる。
また、本発明の試料中の測定対象物質の測定試薬は、他の試薬と組み合わせて、販売し、又は試料中の測定対象物質の測定に使用することもできる。
【００９９】
前記の他の試薬としては、例えば、緩衝液、試料希釈液、試薬希釈液、標識物質を含有する試薬、発色などのシグナルを生成する物質を含有する試薬、又は校正（キャリブレーション）を行うための物質を含有する試薬等を挙げることができる。
【０１００】
なお、本発明の試料中の測定対象物質の測定試薬は、測定対象物質に結合する特異的結合物質を固定化していない担体を含有する第１試薬と、当該特異的結合物質を固定化した担体を含有する第２試薬とを含む、試料中の測定対象物質の測定試薬であってもよい。
【０１０１】
また、本発明の試料中の測定対象物質の測定試薬は、水系溶媒を含有する第１試薬と、測定対象物質に結合する特異的結合物質を固定化した担体、及び当該特異的結合物質を固定化していない担体を含有する第２試薬とを含む、試料中の測定対象物質の測定試薬であってもよい。
【０１０２】
なお、本発明の試料中の測定対象物質の測定試薬においては、測定対象物質に結合する特異的結合物質が、測定対象物質に結合する抗体であることが好ましい。
【０１０３】
また、本発明の試料中の測定対象物質の測定試薬においては、担体がラテックス粒子であることが好ましい。
【０１０４】
そして、本発明の試料中の測定対象物質の測定試薬においては、測定対象物質がＳＣＣＡ１及び／又はＳＣＣＡ２であることが好ましい。
【０１０５】
なお、本発明の試料中の測定対象物質の測定試薬は、測定試薬キットであることが好ましい。
【０１０６】
より具体的には、本発明における試料中の測定対象物質の測定試薬は、「測定対象物質に結合する特異的結合物質を固定化した担体」と測定対象物質との複合体凝集物の生成を、その透過光や散乱光を光学的方法により測るか、又は目視的に測ることにより、試料中に含まれていた測定対象物質の量（濃度）又は存在の有無の測定を、ラテックス比濁法、ラテックス凝集反応法又は粒子凝集反応法等により実施する方法を、その測定原理とするもの等の測定試薬を挙げることができる。特に、ラテックス比濁法によって実施する測定試薬が、より好ましい。
【０１０７】
なお、前記のラテックス比濁法、ラテックス凝集反応法又は粒子凝集反応法等における測定は、公知の方法等により行うものであってよいが、例えば、光学的方法により測定する場合には、試料と、担体に固定化した「測定対象物質に結合する特異的結合物質」とを反応させ、エンドポイント法又はレート法により、透過光や散乱光を測定すること等により行うもの等を挙げることができる。
【０１０８】
また、目視的に測定する場合には、プレートやマイクロタイタープレート（マイクロプレート）等の容器中で、試料と、担体に固定化した「測定対象物質に結合する特異的結合物質」とを反応させ、凝集の状態を目視的に判定すること等により行うもの等を挙げることができる。
【０１０９】
そして、この目視的に測定する代わりにマイクロプレートリーダー等の機器を用いて測定を行うものであってもよい。
【０１１０】
〔９〕試料の種類による測定値差の改善方法
本発明の試料の種類による測定値差の改善方法は、測定対象物質に結合する特異的結合物質を固定化した担体と、試料とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定することにより、試料中の測定対象物質を測定する際に、当該特異的結合物質を固定化した担体と試料との接触の前又はこれと同時に、当該特異的結合物質を固定化していない担体と試料とを接触させることを特徴とする、試料の種類による測定値差の改善方法である。
【０１１１】
これにより、試料の種類により測定値に差が生じることを改善することができるのである。
【０１１２】
本発明の試料の種類による測定値差の改善方法における測定の操作は、公知の測定操作に準じて行うことができ、特に限定はない。
【０１１３】
例えば、まず、「測定対象物質に結合する特異的結合物質を固定化した担体」を含有する測定試薬、「測定対象物質に結合する特異的結合物質を固定化していない担体」を含有する測定試薬、「測定対象物質に結合する特異的結合物質を固定化した担体」及び「測定対象物質に結合する特異的結合物質を固定化していない担体」を含有する測定試薬、又は「水系溶媒」を含有する測定試薬等を調製し、準備する。
【０１１４】
次に、例えば、「測定対象物質に結合する特異的結合物質を固定化していない担体」を含有する測定試薬と、試料とを混合し、これにより、「測定対象物質に結合する特異的結合物質を固定化していない担体」と試料とを接触させる。
【０１１５】
次に、先の「測定対象物質に結合する特異的結合物質を固定化していない担体」を含有する測定試薬と、試料との混合物に、「測定対象物質に結合する特異的結合物質を固定化した担体」を含有する測定試薬を混合することにより「測定対象物質に結合する特異的結合物質を固定化した担体」を試料と接触させる。
これにより、「測定対象物質に結合する特異的結合物質を固定化した担体」の「特異的結合物質」と、試料中に含まれていた「測定対象物質」との、特異的結合反応を行わせる。
そして、これより生成した、「測定対象物質に結合する特異的結合物質を固定化した担体」と「測定対象物質」との複合体凝集物を測定する。
【０１１６】
この生成した複合体凝集物の測定は、この複合体凝集物が存在する測定反応時の反応混合液の透過光又は散乱光などの吸光度等の測定を、エンドポイント法又はレート法等により行うことにより、実施する。
【０１１７】
そして、試料を測定して得た吸光度等の測定値を、標準物質（測定対象物質の濃度が既知の試料）を測定して得た吸光度等の測定値と比較して、試料中に含まれていた測定対象物質の濃度（定量値）を算出する。
【０１１８】
なお、透過光又は散乱光などの吸光度等の測定は、透過光を測定しても、又は散乱光を測定してもよく、そして、１波長測定であっても、又は２波長測定（２つの波長による差又は比）であってもよい。
なお、測定波長は、５００ｎｍから８００ｎｍの中から選ばれるのが一般的である。
【０１１９】
なお、試料中の測定対象物質の測定は、用手法により行ってもよいし、又は測定装置等の装置を用いて行ってもよい。
測定装置は、汎用自動分析装置であっても、専用の測定装置（専用機）であってもよい。
【０１２０】
また、この測定は、１ステップ法（１試薬法）により行ってもよいし、又は２ステップ法（２試薬法）等の複数の操作ステップにより行う方法によって実施してもよい。
【０１２１】
なお、より具体的には、本発明における試料中の測定対象物質の測定は、「測定対象物質に結合する特異的結合物質を固定化した担体」と測定対象物質との複合体凝集物の生成を、その透過光や散乱光を光学的方法により測るか、又は目視的に測ることにより、試料中に含まれていた測定対象物質の量（濃度）又は存在の有無の測定を、ラテックス比濁法、ラテックス凝集反応法又は粒子凝集反応法等により実施することができる。特に、ラテックス比濁法によって実施することが、より好ましい。
【０１２２】
そして、本発明における試料中の測定対象物質の測定を、ラテックス比濁法、ラテックス凝集反応法又は粒子凝集反応法等により実施する場合には、溶媒として、リン酸緩衝液、グリシン緩衝液、トリス緩衝液又はグッド緩衝液等を用いることができ、更にポリエチレングリコールなどの反応促進剤や非特異的反応抑制剤等を含ませてもよい。
【０１２３】
なお、前記のラテックス比濁法、ラテックス凝集反応法又は粒子凝集反応法等における測定の操作法は、公知の方法等により行うことができるが、例えば、光学的方法により測定する場合には、試料と、担体に固定化した「測定対象物質に結合する特異的結合物質」とを反応させ、エンドポイント法又はレート法により、透過光や散乱光を測定すること等により行うことができる。
【０１２４】
また、目視的に測定する場合には、プレートやマイクロタイタープレート（マイクロプレート）等の容器中で、試料と、担体に固定化した「測定対象物質に結合する特異的結合物質」とを反応させ、凝集の状態を目視的に判定すること等により行うことができる。
【０１２５】
なお、この目視的に測定する代わりにマイクロプレートリーダー等の機器を用いて測定を行ってもよい。
【０１２６】
以下、ラテックス比濁法を測定原理とする、試料中の測定対象物質の測定を行う場合を例にとって、具体的に説明を行う。
【０１２７】
（１）  まず、試料中の測定対象物質の測定試薬として、以下のものを調製し、準備する。
第１試薬：
「測定対象物質に結合する抗体を固定化していないラテックス粒子」を含有する緩衝液
第２試薬：
「測定対象物質に結合する抗体を固定化したラテックス粒子」を含有する緩衝液
【０１２８】
（２）  血清等の試料の一定量と前記の第１試薬の一定量を混合し、「測定対象物質に結合する抗体を固定化していないラテックス粒子」と試料とを接触させる。
なお、試料と第１試薬の混合比率（量比）は、適宜選択すればよい。
また、前記の静置時の温度は、室温（１℃〜３０℃）又は微温（３０℃〜４０℃）の範囲内の一定温度であることが好ましい。（例えば、３７℃等）
【０１２９】
（３）  前記の試料と第１試薬との混合液に、前記の第２試薬の一定量を添加、混合し、反応混合液として、一定温度下で一定時間静置する。
これにより、「測定対象物質に結合する抗体を固定化したラテックス粒子」と試料とを接触させる。
なお、第２試薬の添加量は、適宜選択すればよい。
また、前記の静置時の温度は、室温（１℃〜３０℃）又は微温（３０℃〜４０℃）の範囲内の一定温度であることが好ましい。（例えば、３７℃等）
そして、前記の静置の時間は、１分以上、かつ１５分以下の一定時間であることが好ましい。
【０１３０】
試料と第１試薬との混合液への第２試薬の添加、混合により、ラテックス粒子に固定化した測定対象物質に結合する抗体と、試料中に含まれていた測定対象物質との抗原抗体反応（特異的結合反応）を行わせる。
【０１３１】
そして、この抗原抗体反応（測定反応）により、測定対象物質を介した「測定対象物質に結合する抗体を固定化したラテックス粒子」同士の免疫複合体凝集物が生成する。
【０１３２】
（４）  そして、分析装置又は分光光度計等において、反応混合液に光を照射して、生成したラテックス粒子同士の複合体凝集物により生じるシグナルである適当な波長の透過光強度の減少（吸光度の増加）又は散乱光強度の増加を測定することにより、生成した前記複合体凝集物の量、すなわち、試料中に含まれていた測定対象物質の量を求める。
【０１３３】
（５）  そして、「試料の測定を行って得た測定値〔透過光強度の減少（吸光度の増加）又は散乱光強度の増加の値〕」と、「標準液又は標準血清等の標準物質〔濃度既知の測定対象物質を含む試料〕の測定を行って得た測定値〔透過光強度の減少（吸光度の増加）又は散乱光強度の増加の値〕」とを比較することにより、測定を行った試料中に含まれる測定対象物質の量（濃度）の算出を行う。
【０１３４】
なお、本発明の試料の種類による測定値差の改善方法は、以下の第１段階及び第２段階による試料の種類による測定値差の改善方法であってもよい。
第１段階：
測定対象物質に結合する特異的結合物質を固定化していない担体と、試料とを混合し、接触させる；
第２段階：
前記第１段階の後、当該特異的結合物質を固定化していない担体と試料との混合物に、当該特異的結合物質を固定化した担体を接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
【０１３５】
また、本発明の試料の種類による測定値差の改善方法は、以下の第１段階及び第２段階による試料の種類による測定値差の改善方法であってもよい。
第１段階：
水系溶媒と、試料とを混合し、接触させる；
第２段階：
前記第１段階の後、水系溶媒と試料との混合物に、測定対象物質に結合する特異的結合物質を固定化した担体と、当該特異的結合物質を固定化していない担体とを接触させ、これにより、当該特異的結合物質を固定化した担体の当該特異的結合物質と試料中に含まれていた測定対象物質との特異的結合反応を行わせ、これより生成した当該特異的結合物質を固定化した担体と測定対象物質との複合体凝集物を測定する；
【０１３６】
なお、本発明の試料の種類による測定値差の改善方法においては、測定対象物質に結合する特異的結合物質が、測定対象物質に結合する抗体であることが好ましい。
【０１３７】
また、本発明の試料の種類による測定値差の改善方法においては、担体がラテックス粒子であることが好ましい。
【０１３８】
そして、本発明の試料の種類による測定値差の改善方法においては、測定対象物質がＳＣＣＡ１及び／又はＳＣＣＡ２であることが好ましい。
【発明の効果】
【０１３９】
本発明の試料中の測定対象物質の測定方法及び測定試薬、並びに試料の種類による測定値差の改善方法においては、測定対象物質に結合する特異的結合物質を固定化した担体と、試料中に含まれていた測定対象物質との特異的結合反応による、試料中の測定対象物質の測定の際に、当該特異的結合物質を固定化した担体と試料との接触の前又はこれと同時に、当該特異的結合物質を固定化していない担体と試料とを接触させることにより、生体試料における測定値と水系溶媒試料における測定値との間などのように、試料の種類により測定値に差が生じることを改善することができるものであり、すなわち、試料の種類によって測定値に差が生じることを防ぐことができるものである。
【図面の簡単な説明】
【０１４０】
【図１】第１試薬として第１試薬（担体不含）を用い、従来の方法及び試薬により、水系溶媒試料及び生体試料それぞれのＳＣＣＡ１を測定した場合の測定結果を示した図である。
【図２】第１試薬として第１試薬（担体含有）を用い、本発明の方法及び試薬により、水系溶媒試料及び生体試料それぞれのＳＣＣＡ１を測定した場合の測定結果を示した図である。
【図３】第１試薬として第１試薬（担体不含）を用い、従来の方法及び試薬により、水系溶媒試料及び生体試料それぞれのＳＣＣＡ２を測定した場合の測定結果を示した図である。
【図４】第１試薬として第１試薬（担体含有）を用い、本発明の方法及び試薬により、水系溶媒試料及び生体試料それぞれのＳＣＣＡ２を測定した場合の測定結果を示した図である。
【発明を実施するための形態】
【０１４１】
以下、本発明を実施例等により具体的に説明するが、本発明はこれらの実施例等により限定されるものではない。
【参考例１】
【０１４２】
ＳＣＣＡ１、及びＳＣＣＡ２のそれぞれを調製した。
【０１４３】
（１）ＳＣＣＡ１
ＳＣＣＡ１のｃＤＮＡを、ＧＥＸ−ＫＧベクター（Ｇｕａｎ  ＫＬら，Ａｎａｌ  Ｂｉｏｃｈｅｍ，１９９１，Ｖｏｌ．１９２，ｐ．２６２−２６７）に組み込んで、大腸菌ＢＬ２１にトランスフェクションした。
これをアンピシリン入りＬＢ培地にて培養し、菌体よりグルタチオンセファロース４Ｂ（ＧＥ  Ｈｅａｌｔｈｃａｒｅ社、米国）により、グルタチオンＳトランスフェラーゼ（ＧＳＴ）を付加したＳＣＣＡ１を精製した。
これにトロンビンにてＧＳＴを切断し、ＧＳＴを付加しないＳＣＣＡ１を精製した。
これをブラッドフォード法にて定量し、ＳＣＣＡ１の標準物質とした。
一方、抗体スクリーニング用の抗原としては、ＳＣＣＡ１のｃＤＮＡを、ｐＩＲＥＳｐｕｒｏ３ベクター（Ｃｌｏｎｔｅｃｈ社、米国）に組み込んで、ＨＥＫ２９３Ｔ細胞にトランスフェクションした後、ｐｕｒｏｍｙｃｉｎ耐性株を選択して、ＳＣＣＡ１の安定発現細胞株（２９３Ｔ／ＳＣＣＡ１）を樹立し、この２９３Ｔ／ＳＣＣＡ１細胞株の培養上清を、ＳＣＣＡ１として用いた。
【０１４４】
（２）ＳＣＣＡ２
ＳＣＣＡ２のｃＤＮＡを、ＧＥＸ−ＫＧベクター（Ｇｕａｎ  ＫＬら，Ａｎａｌ  Ｂｉｏｃｈｅｍ，１９９１，Ｖｏｌ．１９２，ｐ．２６２−２６７）に組み込んで、大腸菌ＢＬ２１にトランスフェクションした。
これをアンピシリン入りＬＢ培地にて培養し、菌体よりグルタチオンセファロース４Ｂ（ＧＥ  Ｈｅａｌｔｈｃａｒｅ社、米国）により、グルタチオンＳトランスフェラーゼ（ＧＳＴ）を付加したＳＣＣＡ２を精製した。
これにトロンビンにてＧＳＴを切断し、ＧＳＴを付加しないＳＣＣＡ２を精製した。
これをブラッドフォード法にて定量し、ＳＣＣＡ２の標準物質とした。
一方、抗体スクリーニング用の抗原としては、ＳＣＣＡ２のｃＤＮＡを、ｐＩＲＥＳｐｕｒｏ３ベクター（Ｃｌｏｎｔｅｃｈ社、米国）に組み込んで、ＨＥＫ２９３Ｔ細胞にトランスフェクションした後、ｐｕｒｏｍｙｃｉｎ耐性株を選択して、ＳＣＣＡ２の安定発現細胞株（２９３Ｔ／ＳＣＣＡ２）を樹立し、この２９３Ｔ／ＳＣＣＡ２細胞株の培養上清を、ＳＣＣＡ２として用いた。
【参考例２】
【０１４５】
ＳＣＣＡ１に結合する抗体（抗ＳＣＣＡ１抗体）、ＳＣＣＡ２に結合する抗体（抗ＳＣＣＡ２抗体）、並びにＳＣＣＡ１及びＳＣＣＡ２に結合する抗体（抗ＳＣＣＡ１及びＳＣＣＡ２抗体）をそれぞれ調製した。
【０１４６】
（１）抗ＳＣＣＡ１抗体
ＧＳＴ付加ＳＣＣＡ１を、ＴｉｔｅｒＭａｘ  Ｇｏｌｄアジュバント（ＣｙｔＲｘ社、米国）と混合して、Ｗｉｓｔａｒラットの足蹠皮下に投与した（５０μｇ／ラット）。
【０１４７】
２週間〜２ヵ月後、同じ抗原を足蹠皮下に投与し、３日後に、鼠径、膝窩、及び腸骨リンパ節よりリンパ球を調製し、Ｓｐ２／Ｏミエローマ細胞とポリエチレングリコール法にて細胞融合した。
【０１４８】
抗体産生ハイブリドーマクローンのスクリーニングは、固相化抗体としてＳＣＣＡ１及びＳＣＣＡ２に結合する抗体（ポリクローナル抗体）を用い、抗原についてはＳＣＣＡ１抗原として２９３Ｔ／ＳＣＣＡ１細胞株の培養上清を用い（又はＳＣＣＡ２抗原として２９３Ｔ／ＳＣＣＡ２細胞株の培養上清を用い）、そして検出抗体としてこの抗体産生ハイブリドーマの培養上清を用いた酵素免疫測定法（ＥＬＩＳＡ）により行った。
【０１４９】
ＳＣＣＡ１に結合し、ＳＣＣＡ２には結合しないモノクローナル抗体を産生する細胞株（クローン）であったＳＳ１１Ｇ細胞株を、ＳＣＣＡ１に結合する抗体である抗ＳＣＣＡ１抗体の産生細胞株として選択した。
そして、以後、このＳＳ１１Ｇ細胞株が産生するモノクローナル抗体を、抗ＳＣＣＡ１抗体として用いた。
【０１５０】
（２）抗ＳＣＣＡ２抗体
【０１５１】
前記のＧＳＴ付加ＳＣＣＡ１に代えて、このＧＳＴ付加ＳＣＣＡ２を、ＴｉｔｅｒＭａｘ  Ｇｏｌｄアジュバント（ＣｙｔＲｘ社、米国）と混合して、Ｗｉｓｔａｒラットの足蹠皮下に投与（５０μｇ／ラット）する以外は、前記（１）の記載の通りに行い、ＳＣＣＡ２に結合し、ＳＣＣＡ１には結合しないモノクローナル抗体を産生する細胞株（クローン）であったＳＳ８Ｇ細胞株を、ＳＣＣＡ２に結合する抗体である抗ＳＣＣＡ２抗体の産生細胞株として選択した。
そして、以後、このＳＳ８Ｇ細胞株が産生するモノクローナル抗体を、抗ＳＣＣＡ２抗体として用いた。
【０１５２】
（３）抗ＳＣＣＡ１及びＳＣＣＡ２抗体
【０１５３】
前記のＧＳＴ付加ＳＣＣＡ１に代えて、このＧＳＴ付加ＳＣＣＡ２を、ＴｉｔｅｒＭａｘ  Ｇｏｌｄアジュバント（ＣｙｔＲｘ社、米国）と混合して、Ｗｉｓｔａｒラットの足蹠皮下に投与（５０μｇ／ラット）する以外は、前記（１）の記載の通りに行い、ＳＣＣＡ１に結合し、かつＳＣＣＡ２にも結合するモノクローナル抗体を産生する細胞株（クローン）であったＳＳ１４Ｂ細胞株、及びＳＳ１４Ｄ細胞株を、ＳＣＣＡ１及びＳＣＣＡ２に結合する抗体（抗ＳＣＣＡ１及びＳＣＣＡ２抗体）の産生細胞株として選択した。
そして、以後、ＳＣＣＡ１及びＳＣＣＡ２に結合する抗体（抗ＳＣＣＡ１及びＳＣＣＡ２抗体）として、このＳＳ１４Ｂ細胞株が産生するモノクローナル抗体、又はこのＳＳ１４Ｄ細胞株が産生するモノクローナル抗体を用いた。
【実施例１】
【０１５４】
測定対象物質に結合する特異的結合物質を固定化していない担体を試料と接触させた場合、接触させない場合それぞれで試料中のＳＣＣＡ１の測定を行い、本発明の効果を確かめた。
【０１５５】
１．測定試薬
（１）第１試薬
（ａ）第１試薬（担体不含）
２％のＢＳＡ、１５０ｍＭの塩化ナトリウム、１５０ｍＭのアルギニン塩酸塩、１００ｍＭのアルギニン、１％のデキストラン２００，０００、及び０．１％のアジ化ナトリウムを含む１５０ｍＭのトリス（ヒドロキシメチル）アミノメタン緩衝液（ｐＨ９．１）を調製し、これを「第１試薬（担体不含）」とした。
【０１５６】
（ｂ）第１試薬（担体含有）
０．０１５％のラテックス粒子（平均粒径：０．０７μｍ）〔測定対象物質に結合する特異的結合物質を固定化していない担体〕の懸濁液、２％のＢＳＡ、１５０ｍＭの塩化ナトリウム、１５０ｍＭのアルギニン塩酸塩、１００ｍＭのアルギニン、１％のデキストラン２００Ｋ、及び０．１％のアジ化ナトリウムを含む１５０ｍＭのトリス（ヒドロキシメチル）アミノメタン緩衝液（ｐＨ９．１）を調製し、これを「第１試薬（担体含有）」とした。
【０１５７】
（２）第２試薬
（ａ）抗ＳＣＣＡ１抗体固定化ラテックス粒子懸濁液の調製
４％のラテックス粒子（平均粒径：０．３５μｍ）の懸濁液及び０．３ｍｇ／ｍＬの水溶性カルボジイミドを含む２０ｍＭのＭＥＳ緩衝液（ｐＨ６．０）と、前記参考例２の（１）で調製した抗ＳＣＣＡ１抗体（ＳＳ１１Ｇ細胞株由来）であって濃度を２ｍｇ／ｍＬに調整したものとを、１：１に混合し、５℃にて一晩撹拌した。
【０１５８】
次に、遠心分離により上清を除去した後、沈殿部に０．２％のＢＳＡ、及び０．１％のアジ化ナトリウムを含む２０ｍＭのトリス緩衝液（ｐＨ８．５）を加え懸濁し、室温下で３０分間撹拌後、５℃にて一晩放置し、ブロッキング処理を行った。
【０１５９】
次に、遠心分離により上清を除去した後、０．２％のＢＳＡ、及び０．１％のアジ化ナトリウムを含む２０ｍＭトリス緩衝液（ｐＨ８．５）にて、波長５７０ｎｍにおける吸光度が１６となるよう（すなわち、１００倍希釈後の吸光度が０．１６となるよう）に調製したラテックス粒子懸濁液を得た。
これを、抗ＳＣＣＡ１抗体固定化ラテックス粒子懸濁液とした。
【０１６０】
（ｂ）抗ＳＣＣＡ１及びＳＣＣＡ２抗体固定化ラテックス粒子懸濁液の調製
４％のラテックス粒子（平均粒径：０．３μｍ）の懸濁液及び０．３ｍｇ／ｍＬの水溶性カルボジイミドを含む２０ｍＭのＭＥＳ緩衝液（ｐＨ６．０）と、前記参考例２の（３）で調製した抗ＳＣＣＡ１及びＳＣＣＡ２抗体（ＳＳ１４Ｂ細胞株由来）であって濃度を２ｍｇ／ｍＬに調整したものとを、１：１で混合し、５℃にて一晩撹拌した。
【０１６１】
次に、遠心分離により上清を除去した後、沈殿部に０．２％のＢＳＡ、及び０．１％のアジ化ナトリウムを含む２０ｍＭのトリス緩衝液（ｐＨ８．５）を加え懸濁し、室温下で３０分間撹拌後、５℃にて一晩放置し、ブロッキング処理を行った。
【０１６２】
次に、遠心分離により上清を除去した後、０．２％のＢＳＡ、及び０．１％のアジ化ナトリウムを含む２０ｍＭトリス緩衝液（ｐＨ８．５）にて、波長５７０ｎｍにおける吸光度が１６となるよう（すなわち、１００倍希釈後の吸光度が０．１６となるよう）に調製したラテックス粒子懸濁液を得た。
これを、抗ＳＣＣＡ１及びＳＣＣＡ２抗体固定化ラテックス粒子懸濁液とした。
【０１６３】
（ｃ）第２試薬の調製
前記（ａ）で調製した抗ＳＣＣＡ１抗体固定化ラテックス粒子懸濁液と、前記（ｂ）で調製した抗ＳＣＣＡ１及びＳＣＣＡ２抗体固定化ラテックス粒子懸濁液とを、１：１で混合し、これらを混合したラテックス粒子懸濁液を得た。
これを、第２試薬とした。
【０１６４】
２．試料
（１）水系溶媒試料
参考例１の（１）で調製したＳＣＣＡ１を、４％ＢＳＡを含むリン酸緩衝生理食塩水（ＰＢＳ）にて希釈し、下記の水系溶媒試料Ａ２、水系溶媒試料Ａ３、及び水系溶媒試料Ａ４をそれぞれ調製した。
また、この４％ＢＳＡを含むリン酸緩衝生理食塩水（ＰＢＳ）を、ＳＣＣＡ１濃度が０ｎｇ／ｍＬである水系溶媒試料Ａ１とした。
【０１６５】
（ａ）水系溶媒試料Ａ１（ＳＣＣＡ１濃度：０ｎｇ／ｍＬ）
（ｂ）水系溶媒試料Ａ２（ＳＣＣＡ１濃度：５ｎｇ／ｍＬ）
（ｃ）水系溶媒試料Ａ３（ＳＣＣＡ１濃度：１５ｎｇ／ｍＬ）
（ｄ）水系溶媒試料Ａ４（ＳＣＣＡ１濃度：３０ｎｇ／ｍＬ）
【０１６６】
（２）生体試料
参考例１の（１）で調製したＳＣＣＡ１を、ＳＣＣＡ１を１ｎｇ／ｍＬの濃度で含むヒト血清にて希釈し、下記の生体試料Ａ１、生体試料Ａ２、及び生体試料Ａ３をそれぞれ調製した。
【０１６７】
（ａ）生体試料Ａ１（ＳＣＣＡ１濃度：５ｎｇ／ｍＬ）
（ｂ）生体試料Ａ２（ＳＣＣＡ１濃度：１５ｎｇ／ｍＬ）
（ｃ）生体試料Ａ３（ＳＣＣＡ１濃度：３０ｎｇ／ｍＬ）
【０１６８】
３．測定
（ａ）  測定は、免疫比濁測定装置クイックターボ（シノテスト販売）を使用してラテックス比濁法により行った。
まず、測定用セルに、前記１の（１）の（ａ）の第１試薬（担体不含）の３２０μＬを分注し、これに前記２の（１）の水系溶媒試料Ａ１の１６μＬを添加した。
【０１６９】
（ｂ）  次に、これに前記１の（２）の（ｃ）の第２試薬の３２μＬを添加・攪拌し、抗原抗体反応を行わせ、生じた複合体凝集物に由来する１０分後の５８５ｎｍにおける吸光度を測定した。〔この水系溶媒試料Ａ１の測定値（吸光度）が試薬盲検となる〕
【０１７０】
（ｃ）  次に、前記（ａ）における水系溶媒試料Ａ１に替えて、前記２の（１）の水系溶媒試料Ａ２、水系溶媒試料Ａ３又は水系溶媒試料Ａ４をそれぞれ添加する以外は、前記（ａ）及び（ｂ）の通りに測定を行った。
【０１７１】
（ｄ）  次に、前記（ａ）における水系溶媒試料Ａ１に替えて、前記２の（２）の生体試料Ａ１、生体試料Ａ２又は生体試料Ａ３をそれぞれ添加する以外は、前記（ａ）及び（ｂ）の通りに測定を行った。
【０１７２】
（ｅ）  次に、前記（ａ）における第１試薬（担体不含）に替えて、前記１の（１）の（ｂ）の第１試薬（担体含有）を分注する以外は、前記（ａ）〜（ｄ）の通りに測定を行った。
【０１７３】
（ｆ）  以上の測定結果において、第１試薬として第１試薬（担体不含）を用いた場合の測定結果を表１及び図１に示し、第１試薬として第１試薬（担体含有）を用いた場合の測定結果を表２及び図２に示した。
【０１７４】
なお、表１及び表２のいずれにおいても、各試料のＳＣＣＡ１の測定により得た測定値は、前記の５８５ｎｍにおける吸光度から試薬盲検を差し引いたものを表す。そして、更に、生体試料における測定値を水系溶媒試料における測定値で除した比の値（パーセント）をも示した。
【０１７５】
また、図１及び図２のいずれにおいても、横軸は試料に含まれるＳＣＣＡ１の濃度（ｎｇ／ｍＬ）を表し、縦軸は各試料のＳＣＣＡ１の測定により得た測定値〔前記の５８５ｎｍにおける吸光度から試薬盲検を差し引いたもの〕を表す。
そして、図１及び図２のいずれにおいても、試料が水系溶媒試料であるときの測定値を「▲」で表し、試料が生体試料であるときの測定値を「●」で表す。
【０１７６】
【表１】
2012078161.tif 000002
【０１７７】
【表２】
2012078161.tif 000003
【０１７８】
４．考察
表１及び図１より、第１試薬として第１試薬（担体不含）を用いた場合、すなわち従来の方法及び試薬においては、生体試料の測定値に負の誤差が生じ、生体試料と水系溶媒試料との間に著しい測定値差が観られることが分かる。
【０１７９】
これに対して、表２及び図２より、第１試薬として第１試薬（担体含有）を用いた場合、すなわち本発明の方法及び試薬においては、生体試料の測定値に負の誤差が生じておらず、生体試料と水系溶媒試料との間の測定値差が無くなり、改善していることが分かる。
【０１８０】
これらのことより、「測定対象物質に結合する特異的結合物質を固定化した担体」と試料との接触の前又はこれと同時に、「測定対象物質に結合する特異的結合物質を固定化していない担体」と試料とを接触させることにより、試料の種類による測定値差を改善することができるという本発明の効果が確かめられた。
【０１８１】
なお、このように試料の種類により測定値差が生じること、及び前記の通り「測定対象物質に結合する特異的結合物質を固定化していない担体」と試料とを接触させることにより当該測定値差を改善できることは、本発明者らが初めて見出したものである。
【０１８２】
ところで、試料の種類により測定値差が生じるのは、生体試料中に、「測定対象物質に結合する特異的結合物質を固定化した担体」に吸着する物質が存在し、これにより当該特異的結合反応に負の影響を与えたためと考えられる。そして、前記の通り「測定対象物質に結合する特異的結合物質を固定化していない担体」と試料とを接触させることにより、生体試料に由来する非特異的物質の影響を受けずに測定できるようになったものと推察される。
【実施例２】
【０１８３】
測定対象物質に結合する特異的結合物質を固定化していない担体を試料と接触させた場合、接触させない場合それぞれで試料中のＳＣＣＡ２の測定を行い、本発明の効果を確かめた。
【０１８４】
１．測定試薬
（１）第１試薬
（ａ）第１試薬（担体不含）
２％のＢＳＡ、１５０ｍＭの塩化ナトリウム、２００ｍＭのアルギニン塩酸塩、１８０ｍＭのアルギニン、１％のデキストラン２００Ｋ、及び０．１％のアジ化ナトリウムを含む１５０ｍＭのトリス（ヒドロキシメチル）アミノメタン緩衝液（ｐＨ９．３）を調製し、これを「第１試薬（担体不含）」とした。
【０１８５】
（ｂ）第１試薬（担体含有）
０．０１５％のラテックス粒子（平均粒径：０．０７０μｍ）〔測定対象物質に結合する特異的結合物質を固定化していない担体〕の懸濁液、２％のＢＳＡ、１５０ｍＭの塩化ナトリウム、２００ｍＭのアルギニン塩酸塩、１８０ｍＭのアルギニン、１％のデキストラン２００，０００、及び０．１％のアジ化ナトリウムを含む１５０ｍＭのトリス（ヒドロキシメチル）アミノメタン緩衝液（ｐＨ９．３）を調製し、これを「第１試薬（担体含有）」とした。
【０１８６】
（２）第２試薬
（ａ）抗ＳＣＣＡ２抗体固定化ラテックス粒子懸濁液の調製
４％のラテックス粒子（平均粒径：０．３５μｍ）の懸濁液及び０．３ｍｇ／ｍＬの水溶性カルボジイミドを含む２０ｍＭのＭＥＳ緩衝液（ｐＨ６．０）と、前記参考例２の（２）で調製した抗ＳＣＣＡ２抗体（ＳＳ８Ｇ細胞株由来）であって濃度を２ｍｇ／ｍＬに調整したものとを、１：１に混合し、５℃にて一晩撹拌した。
【０１８７】
次に、遠心分離により上清を除去した後、沈殿部に０．２％のＢＳＡ、及び０．１％のアジ化ナトリウムを含む２０ｍＭのトリス緩衝液（ｐＨ８．５）を加え懸濁し、室温下で３０分間撹拌後、５℃にて一晩放置し、ブロッキング処理を行った。
【０１８８】
次に、遠心分離により上清を除去した後、０．２％のＢＳＡ、及び０．１％のアジ化ナトリウムを含む２０ｍＭトリス緩衝液（ｐＨ８．５）にて、波長５７０ｎｍにおける吸光度が１６となるよう（すなわち、１００倍希釈後の吸光度が０．１６となるよう）に調製したラテックス粒子懸濁液を得た。
これを、抗ＳＣＣＡ２抗体固定化ラテックス粒子懸濁液とした。
【０１８９】
（ｂ）抗ＳＣＣＡ１及びＳＣＣＡ２抗体固定化ラテックス粒子懸濁液の調製
４％のラテックス粒子（平均粒径：０．３μｍ）の懸濁液及び０．３ｍｇ／ｍＬの水溶性カルボジイミドを含む２０ｍＭのＭＥＳ緩衝液（ｐＨ６．０）と、前記参考例２の（３）で調製した抗ＳＣＣＡ１及びＳＣＣＡ２抗体（ＳＳ１４Ｄ細胞株由来）であって濃度を２ｍｇ／ｍＬに調整したものとを、１：１で混合し、５℃にて一晩撹拌した。
【０１９０】
次に、遠心分離により上清を除去した後、沈殿部に０．２％のＢＳＡ、及び０．１％のアジ化ナトリウムを含む２０ｍＭのトリス緩衝液（ｐＨ８．５）を加え懸濁し、室温下で３０分間撹拌後、５℃にて一晩放置し、ブロッキング処理を行った。
【０１９１】
次に、遠心分離により上清を除去した後、０．２％のＢＳＡ、及び０．１％のアジ化ナトリウムを含む２０ｍＭトリス緩衝液（ｐＨ８．５）にて、波長５７０ｎｍにおける吸光度が１６となるよう（すなわち、１００倍希釈後の吸光度が０．１６となるよう）に調製したラテックス粒子懸濁液を得た。
これを、抗ＳＣＣＡ１及びＳＣＣＡ２抗体固定化ラテックス粒子懸濁液とした。
【０１９２】
（ｃ）第２試薬の調製
前記（ａ）で調製した抗ＳＣＣＡ２抗体固定化ラテックス粒子懸濁液と、前記（ｂ）で調製した抗ＳＣＣＡ１及びＳＣＣＡ２抗体固定化ラテックス粒子懸濁液とを、１：１で混合し、これらを混合したラテックス粒子懸濁液を得た。
これを、第２試薬とした。
【０１９３】
２．試料
（１）水系溶媒試料
参考例１の（２）で調製したＳＣＣＡ２を、４％ＢＳＡを含むリン酸緩衝生理食塩水（ＰＢＳ）にて希釈し、下記の水系溶媒試料Ｂ２、水系溶媒試料Ｂ３、及び水系溶媒試料Ｂ４をそれぞれ調製した。
また、この４％ＢＳＡを含むリン酸緩衝生理食塩水（ＰＢＳ）を、ＳＣＣＡ２濃度が０ｎｇ／ｍＬである水系溶媒試料Ｂ１とした。
【０１９４】
（ａ）水系溶媒試料Ｂ１（ＳＣＣＡ２濃度：０ｎｇ／ｍＬ）
（ｂ）水系溶媒試料Ｂ２（ＳＣＣＡ２濃度：５ｎｇ／ｍＬ）
（ｃ）水系溶媒試料Ｂ３（ＳＣＣＡ２濃度：１５ｎｇ／ｍＬ）
（ｄ）水系溶媒試料Ｂ４（ＳＣＣＡ２濃度：３０ｎｇ／ｍＬ）
【０１９５】
（２）生体試料
参考例１の（２）で調製したＳＣＣＡ２を、ＳＣＣＡ２を０．５ｎｇ／ｍＬの濃度で含むヒト血清にて希釈し、下記の生体試料Ｂ１、生体試料Ｂ２、及び生体試料Ｂ３をそれぞれ調製した。
【０１９６】
（ａ）生体試料Ｂ１（ＳＣＣＡ２濃度：５ｎｇ／ｍＬ）
（ｂ）生体試料Ｂ２（ＳＣＣＡ２濃度：１５ｎｇ／ｍＬ）
（ｃ）生体試料Ｂ３（ＳＣＣＡ２濃度：３０ｎｇ／ｍＬ）
【０１９７】
３．測定
（ａ）  測定は、免疫比濁測定装置クイックターボ（シノテスト販売）を使用してラテックス比濁法により行った。
まず、測定用セルに、前記１の（１）の（ａ）の第１試薬（担体不含）の３２０μＬを分注し、これに前記２の（１）の水系溶媒試料Ｂ１の１６μＬを添加した。
【０１９８】
（ｂ）  次に、これに前記１の（２）の（ｃ）の第２試薬の３２μＬを添加・攪拌し、抗原抗体反応を行わせ、生じた複合体凝集物に由来する１０分後の５８５ｎｍにおける吸光度を測定した。〔この水系溶媒試料Ｂ１の測定値（吸光度）が試薬盲検となる〕
【０１９９】
（ｃ）  次に、前記（ａ）における水系溶媒試料Ｂ１に替えて、前記２の（１）の水系溶媒試料Ｂ２、水系溶媒試料Ｂ３又は水系溶媒試料Ｂ４をそれぞれ添加する以外は、前記（ａ）及び（ｂ）の通りに測定を行った。
【０２００】
（ｄ）  次に、前記（ａ）における水系溶媒試料Ｂ１に替えて、前記２の（２）の生体試料Ｂ１、生体試料Ｂ２又は生体試料Ｂ３をそれぞれ添加する以外は、前記（ａ）及び（ｂ）の通りに測定を行った。
【０２０１】
（ｅ）  次に、前記（ａ）における第１試薬（担体不含）に替えて、前記１の（１）の（ｂ）の第１試薬（担体含有）を分注する以外は、前記（ａ）〜（ｄ）の通りに測定を行った。
【０２０２】
（ｆ）  以上の測定結果において、第１試薬として第１試薬（担体不含）を用いた場合の測定結果を表３及び図３に示し、第１試薬として第１試薬（担体含有）を用いた場合の測定結果を表４及び図４に示した。
【０２０３】
なお、表３及び表４のいずれにおいても、各試料のＳＣＣＡ２の測定により得た測定値は、前記の５８５ｎｍにおける吸光度から試薬盲検を差し引いたものを表す。そして、更に、生体試料における測定値を水系溶媒試料における測定値で除した比の値（パーセント）をも示した。
【０２０４】
また、図３及び図４のいずれにおいても、横軸は試料に含まれるＳＣＣＡ２の濃度（ｎｇ／ｍＬ）を表し、縦軸は各試料のＳＣＣＡ２の測定により得た測定値〔前記の５８５ｎｍにおける吸光度から試薬盲検を差し引いたもの〕を表す。
そして、図３及び図４のいずれにおいても、試料が水系溶媒試料であるときの測定値を「▲」で表し、試料が生体試料であるときの測定値を「●」で表す。
【０２０５】
【表３】
2012078161.tif 000004
【０２０６】
【表４】
2012078161.tif 000005
【０２０７】
４．考察
表３及び図３より、第１試薬として第１試薬（担体不含）を用いた場合、すなわち従来の方法及び試薬においては、生体試料の測定値に負の誤差が生じ、生体試料と水系溶媒試料との間に著しい測定値差が観られることが分かる。
【０２０８】
これに対して、表４及び図４より、第１試薬として第１試薬（担体含有）を用いた場合、すなわち本発明の方法及び試薬においては、生体試料の測定値に負の誤差が生じておらず、生体試料と水系溶媒試料との間の測定値差が無くなり、改善していることが分かる。
【０２０９】
これらのことより、「測定対象物質に結合する特異的結合物質を固定化した担体」と試料との接触の前又はこれと同時に、「測定対象物質に結合する特異的結合物質を固定化していない担体」と試料とを接触させることにより、試料の種類による測定値差を改善することができるという本発明の効果が再度確かめられた。
【図１】
2012078161.tif 000006
【図２】
2012078161.tif 000007
【図３】
2012078161.tif 000008
【図４】
2012078161.tif 000009